(57)【要約】【課題】シール部におけるシール不良の有無の判定精度を維持しつつ、シール部の低透過率領域におけるシール不良の有無を判定できる検査装置を提供する。【解決手段】内容物９３が包材９０に包装された物品Ｇに光を照射する光照射部２と、物品を透過した光に基づいて、物品の透過画像５０を生成する画像生成部３１と、透過画像に基づいてシール不良の有無を判定する判定部３７と、を備えた近赤外線検査装置１において、透過画像に基づいて、包材の横シール部９１Ａ，９１Ｂにおいて所定光透過率より高い領域である第１領域９８と、包材の横シール部において第１領域よりも光透過率が低い領域である第２領域９９と、を特定する領域特定部３３を備え、判定部は、第１領域における噛み込みの有無と、第２領域における噛み込みの有無と、を互いに異なる基準で判定する。【選択図】図４
2015232461.tif 000002
【特許請求の範囲】
【請求項１】
内容物が包材に包装された物品に光を照射する光照射部と、前記物品を透過した前記光に基づいて、前記物品の透過画像を生成する画像生成部と、前記透過画像に基づいてシール不良の有無を判定する判定部と、を備えた検査装置において、
前記透過画像に基づいて、前記包材のシール部において所定透過率より高い領域である第１領域と、前記包材のシール部において前記第１領域よりも透過率が低い領域である第２領域と、を特定する領域特定部を備え、
前記判定部は、前記第１領域における前記シール不良の有無と、前記第２領域における前記シール不良の有無と、を互いに異なる基準で判定する、検査装置。
【請求項２】
前記判定部は、前記第１領域における前記シール不良の有無と、前記第２領域における前記シール不良の有無と、を互いに異なる濃淡値を基準としてそれぞれ判定する、請求項１に記載の検査装置。
【請求項３】
前記透過画像の明るさを補正して、前記透過画像よりも明るい画像である補正透過画像を生成する補正画像生成部を更に備え、
前記判定部は、前記透過画像に基づいて前記第１領域における前記シール不良の有無を判定し、前記補正透過画像に基づいて前記第２領域における前記シール不良の有無を判定する、請求項１に記載の検査装置。
【請求項４】
前記補正画像生成部は、前記第１領域と前記第２領域とを特定するための前記所定透過率に応じて前記明るさの補正度合いを調整する、請求項３に記載の検査装置。
【請求項５】
前記領域特定部は、前記透過画像のうち前記シール部に相当する部分から取得される明るさに基づいて前記第１領域及び前記第２領域をそれぞれ特定する、請求項１〜４の何れか一項に記載の検査装置。
【請求項６】
前記領域特定部は、予め記憶されている前記透過画像における基準位置からの相対位置に基づいて前記第２領域を特定する、請求項１〜４の何れか一項に記載の検査装置。
【請求項７】
前記領域特定部は、前記第２領域において、前記透過率に応じて更に複数の領域を特定する、請求項１〜６の何れか一項に記載の検査装置。
【発明の詳細な説明】
【技術分野】
【０００１】
本発明は、検査装置に関する。
【背景技術】
【０００２】
フィルム包装材などの包材内に食品などの内容物を収容して出荷するような物品の搬送ラインにおいては、不具合（例えば、包材のシール部（封止部）への内容物の噛み込み、包材内での内容物の破損、包材内への異物の混入等）が発生した物品の出荷を防止するために、物品の状態を検査する必要がある。
【０００３】
このような物品の状態を検査するための装置として、例えば、特許文献１には、包材のシール部における内容物の噛み込みの有無を判定し、シール部に内容物の噛み込みが有ると判定された物品を不良品として製造ラインから排除するＸ線検査装置が開示されている。
【０００４】
このような検査装置では、横シール部と当該横シール部に交差する方向に延在する縦シール部（いわゆる背貼り部）とが平面的に重なる領域や、包材に印刷がなされている領域（以下、「低透過率領域」と称する。）に対応する部分の透過画像は、全体的に暗く（黒く）なる。このため、透過画像の低透過率領域に対応する部分にシール不良が無い場合であっても、この部分にシール不良が有ると誤判定される場合がある。このような問題に対し、例えば、低透過率領域にマスクをして検査対象から外すことにより誤判定されることを回避したり、低透過率領域におけるシール不良の有無を判定できるように、透過画像を生成する際の感度を調整したりするなどの対応がなされている。
【先行技術文献】
【特許文献】
【０００５】
【特許文献１】特開２０１０−２８６４２４号公報
【発明の概要】
【発明が解決しようとする課題】
【０００６】
しかしながら、上記前者の対応方法では、マスクをした部分にシール不良が有る場合であっても不良品と判定することができない。後者の対応方法では、シール部におけるシール不良の有無の判定精度を低下させてしまう。
【０００７】
そこで、本発明は、シール部におけるシール不良の有無の判定精度を維持しつつ、シール部の低透過率領域におけるシール不良の有無を判定できる検査装置を提供することを目的とする。
【課題を解決するための手段】
【０００８】
本発明の検査装置は、内容物が包材に包装された物品に光を照射する光照射部と、物品を透過した光に基づいて、物品の透過画像を生成する画像生成部と、透過画像に基づいてシール不良の有無を判定する判定部と、を備えた検査装置において、透過画像に基づいて、包材のシール部において所定透過率より高い領域である第１領域と、包材のシール部において第１領域よりも透過率が低い領域である第２領域と、を特定する領域特定部を備え、判定部は、第１領域におけるシール不良の有無と、第２領域におけるシール不良の有無と、を互いに異なる基準で判定する。
【０００９】
この構成の検査装置では、シール部において、従来の方法にてシール不良の有無が判定可能な、低透過率領域ではない第１領域と、従来の方法ではシール不良の有無が判定し難い、低透過率領域である第２領域と、を特定し、これらの領域毎に、互いに異なる判定基準にてそれぞれの領域でのシール不良の有無を判定している。それぞれの領域におけるシール不良の有無を判定するために最適な判定基準が用いられるので、第１領域におけるシール不良の有無の判定精度を維持しつつ、第２領域におけるシール不良の有無の判定が可能となる。
【００１０】
本発明の検査装置では、判定部は、第１領域におけるシール不良の有無と、第２領域におけるシール不良の有無とを互いに異なる濃淡値を基準としてそれぞれ判定してもよい。
【００１１】
透過画像において、低透過率領域である第２領域においてシール不良が有る部分と、低透過率領域ではない第１領域においてシール不良が有る部分とでは、濃淡値がそれぞれ異なる。この構成の検査装置では、第１領域及び第２領域においてシール不良を検出するのに最適な濃淡値を用いることができるので、それぞれの領域においてシール不良の有無の検出精度を高めることができる。
【００１２】
本発明の検査装置では、透過画像の明るさを補正して、透過画像よりも明るい画像である補正透過画像を生成する補正画像生成部を更に備え、透過画像に基づいて第１領域におけるシール不良の有無を判定し、補正透過画像に基づいて第２領域におけるシール不良の有無を判定してもよい。
【００１３】
この構成の検査装置では、シール部において、従来の方法にてシール不良の有無が判定できる、低透過率領域ではない第１領域と、従来の方法ではシール不良の有無が判定し難い、低透過率領域である第２領域と、を特定し、これらの領域毎に、互いに明るさが異なる透過画像を用いてそれぞれの位置でのシール不良の有無を判定している。すなわち、それぞれの領域におけるシール不良の有無を判定するために最適な明るさの透過画像が用いられるので、第１領域におけるシール不良の有無の判定精度を維持しつつ、第２領域におけるシール不良の判定が可能となる。
【００１４】
この構成の検査装置では、低透過率領域である第２領域におけるシール不良の有無を判定するために最適な明るさの透過画像を生成することができる。
【発明の効果】
【００１５】
本発明によれば、シール部におけるシール不良の有無の判定精度を維持しつつ、シール部の低透過率領域におけるシール不良の有無を判定できる。
【００１６】
本発明の検査装置では、領域特定部は、透過画像のうちシール部に相当する部分から取得される明るさに基づいて、第１領域及び第２領域をそれぞれ特定してもよい。
【００１７】
透過画像において、例えば、横シール部に縦シール部が重なる部分や包材に印刷がなされた部分などである低透過率領域とそれ以外の部分とでは、明るさが異なっている。この構成の検査装置では、この明るさに基づいて透過画像の領域を区切るだけの簡易な処理で、低透過率領域となる第２領域を容易に特定することができる。
【００１８】
本発明の検査装置では、領域特定部は、予め記憶されている透過画像における基準位置からの相対位置に基づいて第２領域を特定してもよい。
【００１９】
物品において、例えば、横シール部に縦シール部が重なる部分や包材に印刷がなされた部分は、どの物品においても同じ位置である場合が多い。この構成の検査装置では、透過画像における基準位置からの相対距離を低透過率領域となる第２領域の位置として記憶しているので、画像生成部により生成される透過画像のどの部分が低透過率領域となる第２領域であるかを容易に特定することができる。
【００２０】
本発明の検査装置では、領域特定部は、第２領域において、透過率に応じて更に複数の領域を特定してもよい。
【００２１】
この構成の検査装置では、それぞれの領域におけるシール不良の有無を判定するために、より一層最適な基準値又は明るさの透過画像が用いられるので、シール不良の有無の判定精度を高めることができる。
【００２２】
本発明の検査装置では、補正画像生成部は、第１領域と第２領域とを特定するための所定透過率に応じて明るさの補正度合いを調整してもよい。
【図面の簡単な説明】
【００２３】
【図１】一実施形態に係る近赤外線検査装置の側面図である。
【図２】図１の近赤外線検査装置が設置された搬送ラインの平面図である。
【図３】図１の近赤外線検査装置が備えている制御コンピュータの構成を示す制御ブロック図である。
【図４】物品Ｇの平面図である。
【図５】物品の透過画像の一例と、透過画像の輝度を補正した補正透過画像の一例とをそれぞれ示す図である。
【図６】第２領域の位置を特定する方法の一例を説明するための図である。
【図７】第２領域の位置を特定する方法の一例を説明するための図である。
【図８】図５の透過画像の横シール部に相当する部分の輝度のヒストグラムである。
【図９】第２領域の位置を特定する方法の一例を説明するための図である。
【図１０】変形例２における第２領域の位置を特定する方法の一例を説明するための図である。
【発明を実施するための形態】
【００２４】
以下、図面を参照して一実施形態について説明する。図面の説明において、同一要素には同一符号を付し、重複する説明を省略する。図面の寸法比率は、説明のものと必ずしも一致していない。
【００２５】
（１）全体構成
図１に示される近赤外線検査装置（検査装置）１は、図３に示されるような樹脂フィルムからなる包材９０、及び当該包材９０内に収容された内容物９３を有する物品Ｇを検査する検査装置である。物品Ｇは、例えば、食品などの搬送ラインにおいて搬送される袋入り菓子などである。物品Ｇは、シート状の包材９０が縦シール部９７によりシール（封止）された筒状体の一端が横シール部（シール部）９１Ｂによってシールされることにより有底筒状体とされ、当該有底筒状体の内部（収容部９２）に内容物９３が充填された後、開口している他方の端部が横シール部（シール部）９１Ａによってシールされている。
【００２６】
包材９０は、透明な材料、半透明な材料など、光透過性を有する材料からなる。また、パッケージの材料自体が色彩を有している場合もあるし、印刷などによって包材に色彩が施されている場合もある。本実施形態では、光透過性を有する単色の材料により内容物９３が包装されている物品Ｇを例に挙げて説明する。
【００２７】
図１及び図２に示されるように、近赤外線検査装置１は、光照射部２と、光検出部３と、制御コンピュータ（画像生成部、領域特定部、補正画像生成部、判定部）４と、振分機構（振分部）７０と、を備えている。光照射部２は、搬送コンベア１１，１２の下方に配置されている。光検出部３は、搬送コンベア１１，１２の上方に配置されている。光照射部２及び光検出部３は、搬送コンベア１１，１２間に設けられた間隙を介して互いに対向している。
【００２８】
図２に戻り、光照射部２は、搬送コンベア１１，１２間の間隙の下方において当該間隙に沿って延在する近赤外線照射器１３を有している。光照射部２は、搬送コンベア１１，１２によって搬送される物品Ｇが搬送コンベア１１，１２間の間隙上を通過する際に、近赤外線照射器１３から物品Ｇに近赤外線を照射する。なお、近赤外線の波長は、７８０ｎｍ〜１４００ｎｍである。
【００２９】
光検出部３は、搬送コンベア１１，１２間の間隙の上方において当該間隙に沿って延在する近赤外線ラインセンサ１４を有している。光検出部３は、搬送コンベア１１，１２によって搬送される物品Ｇが搬送コンベア１１，１２間の間隙上を通過する際に物品Ｇに照射された近赤外線の透過光を近赤外線ラインセンサ１４で検出し、検出信号を制御コンピュータ４に出力する。
【００３０】
近赤外線ラインセンサ１４は、物品Ｇを透過した近赤外線を検出する。近赤外線ラインセンサ１４は、搬送コンベア１１，１２による物品Ｇの搬送方向に直交する水平方向に一列に配列された複数の検出素子１４ａを有している。
【００３１】
光照射部２及び光検出部３は、光照射部２から光検出部３に至る近赤外線の光路が周囲雰囲気に露出した状態で、台座５に立設された支柱６に片持ち支持されている。なお、物品Ｇの検査領域がシールドボックスなどによって覆われる構成としてもよい。
【００３２】
制御コンピュータ４は、支柱６内に収容されており、近赤外線検査装置１の動作制御及び各種の信号処理を行う。図５（Ａ）に示されるように、制御コンピュータ４は、光検出部３から出力された検出信号に基づいて、物品Ｇの近赤外線の透過画像５０を取得し、当該透過画像５０における１画素当たりの濃淡値に基づいて、横シール部９１Ａ，９１Ｂへの内容物９３の噛み込み（例えば、内容物９４）の有無、内容物９３以外の異物９５の混入の有無、及び内容物９３の割れの有無を判定する。なお、支柱６には、制御コンピュータ４の他、ディスプレイなどの表示部及びタッチボタンなどの操作部が設けられている。ただし、制御コンピュータ４、表示部及び操作部は、台座５及び支柱６とは別に用意された制御ボックスなどに設けられていてもよい。
【００３３】
図２に示されるように、物品Ｇは、搬送コンベア１１，１２によって近赤外線検査装置１に対して連続的に搬送される。制御コンピュータ４は、搬送されてきた物品Ｇにおける横シール部９１Ａ，９１Ｂへの内容物９３の噛み込みの有無、内容物９３以外の異物９５の混入の有無、内容物９３の割れの有無を判定し、これらの判定結果を、近赤外線検査装置１の下流側に配置された振分機構７０に送信する。
【００３４】
振分機構７０は、横シール部９１Ａ，９１Ｂへの内容物９３の噛み込みの有無、内容物９３以外の異物９５の混入の有無、及び内容物９３の割れの有無という３つの判定項目のうち、少なくとも１つの項目において有りと判定された物品Ｇについては、アーム７１を動作させることで、正規のラインコンベア８０から外れた回収箱７３に当該物品Ｇを送る。振分機構７０は、横シール部９１Ａ，９１Ｂへの内容物９３の噛み込みがなく、内容物９３以外の異物９５の混入がなく、かつ内容物９３の割れがない、良品と判定された物品Ｇについては、正規のラインコンベア８０によって下流方向に当該物品Ｇを搬送させる。
【００３５】
（２）制御コンピュータの構成
制御コンピュータ４は、近赤外線検査装置１における各種動作を制御する部分であり、ＣＰＵ（Central Processing Unit）、ＲＯＭ（Read OnlyMemory）、ＲＡＭ（Random Access Memory）などで構成される。図４に示されるように、制御コンピュータ４は、近赤外線検査装置１における各種制御処理を実行する概念的な部分としての画像生成部３１と領域特定部３３と、補正画像生成部３５と、判定部３７と、を有している。このような概念的な部分は、例えばＲＯＭに格納されているプログラムがＲＡＭ上にロードされてＣＰＵで実行されるソフトウェアとして構成することができる。なお、制御コンピュータ４は、電子回路などによるハードウェアとして構成されてもよい。
【００３６】
（２−１）画像生成部
画像生成部３１は、物品Ｇを透過した光に基づいて、物品Ｇの透過画像５０を生成する部分である。具体的には、画像生成部３１は、近赤外線ラインセンサ１４から連続的に送信されてくる検出信号に基づいて、図５（Ａ）に示されるような、物品Ｇに関する透過画像５０を生成する。透過画像５０の濃淡は光透過率を示しており、色が濃くなるほど光透過率が小さいことを示す。
【００３７】
（２−２）領域特定部
領域特定部３３は、透過画像５０に基づいて、包材９０の横シール部９１Ａ，９１Ｂにおいて所定光透過率より高い領域である第１領域９８と、包材９０の横シール部９１Ａ，９１Ｂにおいて第１領域よりも光透過率が低い領域である第２領域（低透過率領域）９９と、を特定する部分である。本実施形態において、横シール部９１Ａ，９１Ｂにおいて第２領域９９となる部分は、図３に示されるように、物品Ｇを平面視した際に横シール部９１Ａ，９１Ｂと縦シール部９７とが重なる部分であり、横シール部９１Ａ，９１Ｂにおいて第１領域９８となる部分は、横シール部９１Ａ，９１Ｂと縦シール部９７とが重ならない部分である。第１領域９８と第２領域９９とでは光透過率が互いに異なり、第１領域９８に比べ第２領域９９の光透過率は低い。
【００３８】
第１領域９８と第２領域９９とを特定する方法について具体的に説明する。本実施形態の領域特定部３３は、検査対象となる物品Ｇごと、すなわち、画像生成部３１によって生成される透過画像５０ごとに下記に示す処理を行う。
【００３９】
図６（Ａ）に示されるように、領域特定部３３は、透過画像５０のうち横シール部９１Ａ，９１Ｂに相当する部分５１Ａ，５１Ｂ以外の収容領域５２をマスク６１する。次に、領域特定部３３は、透過画像５０のうち横シール部９１Ａ，９１Ｂに相当する部分５１Ａ，５１Ｂの輝度のヒストグラムをそれぞれ生成する。図８は、物品Ｇにおける横シール部９１Ａに相当する部分５１Ａにおける輝度のヒストグラムである。
【００４０】
図８に示されるように、横シール部９１Ａに相当する部分５１Ａには、２つの輝度のピークがある。すなわち、一方が第１領域９８（図３参照）に相当する部分の輝度であり、他方が第２領域９９（図３参照）に相当する部分の輝度である。なお、上述したとおり、第１領域９８に比べ第２領域９９の光透過率は低いので、透過画像５０において第２領域９９に相当する部分は、第１領域９８に相当する部分と比べ輝度が低くなる。
【００４１】
例えば、第２領域９９の面積が横シール部９１Ａの面積の１０％を占める場合には、領域特定部３３は、図８に示すヒストグラムにおいて輝度の小さい方からカウントして１０％の面積の割合を占める輝度を閾値Ｂとして決定する。次に、領域特定部３３は、当該閾値Ｂを用いて、透過画像５０の横シール部９１Ａに相当する部分５１Ａを二値化する。すなわち、領域特定部３３は、図６（Ａ）の横シール部９１Ａに相当する部分５１Ａにおいて閾値Ｂよりも輝度の高い領域を白、閾値Ｂ以下の領域を黒に変換する。領域特定部３３は、透過画像５０の横シール部９１Ｂに相当する部分５１Ｂについても、同様の方法にて二値化する。図６（Ｂ）は、このような方法で透過画像５０の横シール部９１Ａ，９１Ｂに相当する部分５１Ａ，５１Ｂのそれぞれを二値化した画像である。
【００４２】
次に、領域特定部３３は、先の二値化において黒に変換された領域をそれぞれラベリングする。次に、領域特定部３３は、横シール部９１Ａに相当する部分５１Ａにおいてラベリングされた領域６３のうち、面積の最大となる領域のみを黒として維持し、残りの領域は白に変換する（図７参照）。これにより、ノイズの影響が排除され、第２領域９９に相当する部分９９Ａの抽出精度が高められる。領域特定部３３は、横シール部９１Ｂに相当する部分５１Ｂにおいても、同様の処理を行う。
【００４３】
次に、領域特定部３３は、透過画像５０の横シール部９１Ａに相当する部分５１Ａにおいて黒に変換した領域６３の位置を特定する。このとき、領域特定部３３は、黒に変換した領域６３に膨張処理を施し、先に特定した範囲より広い範囲として領域６３の位置を特定してもよい。これにより、図５（Ａ）及び図５（Ｂ）に示されるように、透過画像５０又は後述する補正透過画像５０Ａにおける第２領域９９に相当する部分９９Ａの位置が特定される。また、この第２領域９９に相当する部分９９Ａの位置が特定されたことにより、透過画像５０又は後述する補正透過画像５０Ａにおける第１領域９８に相当する部分９８Ａの位置も特定される。
【００４４】
（２−３）補正画像生成部
補正画像生成部３５は、図５（Ａ）に示される透過画像５０の輝度（明るさ）を補正して、図５（Ｂ）に示されるような、透過画像５０よりも輝度が高い（明るい）画像である補正透過画像５０Ａを生成する部分である。補正透過画像５０Ａは、第１領域９８と第２領域９９における光透過率に応じて明るさの補正度合いを調整してもよい。
【００４５】
（２−４）判定部
判定部３７は、第１領域９８における噛み込みの有無について、図５（Ａ）に示される透過画像５０の第１領域９８に相当する部分９８Ａを用いて判定し、第２領域９９における噛み込みの有無について、図５（Ｂ）に示される補正透過画像５０Ａの第２領域９９に相当する部分９９Ａを用いて判定する部分である。すなわち、判定部３７は、図９に示されるような、図５（Ａ）に示される透過画像５０の第２領域９９に相当する部分９９Ａを、図５（Ｂ）に示される補正透過画像５０Ａの第２領域９９に相当する部分９９Ａに置換した透過画像５０Ｃを用いて、横シール部９１Ａ，９１Ｂにおける内容物９３の噛み込みの検査を行っていると言える。
【００４６】
判定部３７は、透過画像５０Ｃの第１領域９８に該当する部分９８Ａに、第１閾値以下の輝度を有する部分が有る場合、又は透過画像５０Ｃの第２領域９９に該当する部分９９Ａに、第２閾値（第２閾値＜第１閾値）以下の輝度を有する部分が有る場合には、横シール部９１Ａ，９１Ｂに内容物９３の噛み込みが有ると判定する。判定部３７は、例えば、横シール部９１Ｂに噛み込まれた内容物９４に相当する部分５４を検出する。
【００４７】
また、判定部３７は、透過画像５０Ｃの第１領域９８に該当する部分９８Ａに、第１閾値以下の輝度を有する部分が無い場合、かつ透過画像５０Ｃの第２領域９９に該当する部分９９Ａに、第２閾値（第２閾値＜第１閾値）以下の輝度を有する部分が無い場合には、横シール部９１Ａ，９１Ｂに内容物９３の噛み込みが無いと判定する。判定部３７は、当該噛み込みが有ると判定した場合、その旨の情報を含む検出信号を、近赤外線検査装置１の下流側に配置された振分機構７０に送信する。
【００４８】
判定部３７は、更に、透過画像５０に基づいて、内容物９３以外の異物９５の混入の有無、内容物９３の割れの有無を判定する。判定部３７は、内容物９３以外の異物９５の混入が有ると判定した場合、及び内容物９３の割れが有ると判定した場合、その旨の情報を含む検出信号を、近赤外線検査装置１の下流側に配置された振分機構７０に送信する。なお、内容物９３以外の異物９５の混入の有無、及び内容物９３の割れの有無は、公知の技術を用いて判定することができる。
【００４９】
（３）特徴及び作用・効果
上記実施形態の近赤外線検査装置１では、第１領域９８における内容物９３の噛み込みの有無は、図５（Ａ）に示される透過画像５０を用いて第１閾値に基づいて判定され、第２領域９９における内容物９３の噛み込みの有無は、図５（Ｂ）に示される補正透過画像５０Ａを用いて第２閾値に基づいて判定されている。第１領域９８及び第２領域９９のそれぞれの領域における噛み込みの有無を判定するために最適な透過画像（透過画像５０及び補正透過画像５０Ａ）及び基準値（第１閾値及び第２閾値）が用いられるので、第１領域９８における噛み込みの有無の判定精度を維持しつつ、第２領域９９における噛み込みの有無の判定が可能となる。
【００５０】
上記実施形態の近赤外線検査装置１では、検査対象となる物品Ｇごと、すなわち、画像生成部３１によって生成される透過画像５０ごとに、領域特定部３３によって第１領域９８及び第２領域９９の位置の特定が行われている。これにより、物品Ｇの搬送状態などにより、生成される透過画像５０の濃淡が物品Ｇごとに変わるような場合であっても、第１領域９８及び第２領域９９の位置を精度高く特定することができる。当該処理は、照射装置の照射特性に拡がりが大きく、照射装置から物品Ｇまでの距離に依存して光透過量が大きく変化する近赤外線検査装置１において特に有効である。
【００５１】
（４）変形例
以上、一実施形態について説明したが、本発明は、上記実施形態に限られるものではなく、発明の趣旨を逸脱しない範囲で種々の変更が可能である。
【００５２】
＜変形例１＞
上記実施形態では、画像生成部３１から生成される透過画像５０の全体の輝度を補正して、図５（Ｂ）に示されるような、透過画像５０よりも輝度が高い画像である補正透過画像５０Ａが生成される例を挙げて説明したが、本発明はこれに限定されない。例えば、補正画像生成部３５は、透過画像５０の一部（判定部３７が判定に用いる部分）の輝度を補正してもよい。上記実施形態の例で説明すれば、図５（Ａ）に示される透過画像５０において第２領域９９に該当する部分９９Ａのみの輝度を明るくするような補正を行ってもよい。この場合には、補正画像生成部３５における処理の負担を軽減し、処理の高速化が図れる。
【００５３】
＜変形例２＞
上記実施形態では、透過画像５０の横シール部９１Ａ，９１Ｂに相当する部分５１Ａ，５１Ｂにおける輝度のヒストグラムに基づいて、透過画像５０における第１領域９８及び第２領域９９のそれぞれの位置を特定する例を挙げて説明したが、本発明はこれに限定されない。例えば、図１０に示されるように、領域特定部３３は、物品Ｇの四隅ＳＰ１〜ＳＰ４を基準とする相対位置に基づいて、透過画像５０における第１領域９８及び第２領域９９のそれぞれの位置を特定してもよい。
【００５４】
具体的には、領域特定部３３は、例えば、図５（Ａ）に示される透過画像５０を二値化して、四隅ＳＰ１〜ＳＰ４を抽出する。次に、領域特定部３３は、図示しない記憶部などに記憶されている四隅ＳＰ１〜ＳＰ４から第１領域９８の重心位置又は第２領域９９の重心位置までのそれぞれの距離、第１領域９８及び第２領域９９の形状などの情報に基づいて、透過画像５０における第１領域９８及び第２領域９９の位置を特定する。
【００５５】
＜変形例３＞
上記実施形態では、第２領域を、物品Ｇを平面視した際に横シール部９１Ａ，９１Ｂと縦シール部９７とが重なる部分とし、第１領域を、横シール部９１Ａ，９１Ｂと縦シール部９７とが重ならない部分とする例を挙げて説明したが、本発明はこれに限定されない。例えば、印刷などによって包材９０に色彩が施されている場合、第２領域を、横シール部において色彩が施されている部分とし、第１領域を、横シール部において色彩が施されていない部分としてもよい。この場合も、第１領域９８と第２領域９９とでは光透過率が互いに異なり、第１領域９８に比べ第２領域９９の光透過率は低い。
【００５６】
従来、上記実施形態の物品Ｇと同様、色彩が施されている部分と施されていない部分を有する包材で包装された物品において、色彩が施されている部分における噛み込みの有無を判定することは困難であった。変形例３に係る近赤外線検査装置では、横シール部において色彩が施されていない第１領域及び色彩が施されている第２領域のそれぞれの領域における噛み込みの有無を判定するために最適な透過画像及び基準値を用いることができるので、第１領域における噛み込みの有無の判定精度を維持しつつ、第２領域における噛み込みの有無の判定が可能となる。
【００５７】
また、変形例３に係る近赤外線検査装置では、第２領域を光透過率に応じて更に複数の領域に分けて特定してもよい。これにより、包材に施される色彩の色などが異なる場合（光透過率が異なる場合）、当該色彩の色などに応じて、内容物の噛み込みの有無を判定するために最適な透過画像及び基準値を用いることができる。これにより、それぞれの領域における噛み込みの有無を判定するために、より一層最適な基準値又は明るさの透過画像が用いられるので、噛み込みの有無の判定精度を高めることができる。
【００５８】
＜変形例４＞
上記実施形態では、第１領域９８における噛み込みの有無について、図５（Ａ）に示される透過画像５０の第１領域９８に相当する部分９８Ａを用いて判定し、第２領域９９における噛み込みの有無について、図５（Ｂ）に示される補正透過画像５０Ａの第２領域９９に相当する部分９９Ａを用いて判定する例を挙げて説明したが、本発明はこれに限定されない。例えば、第１領域９８における噛み込みの有無について、図５（Ａ）に示される透過画像５０の第１領域９８に相当する部分９８Ａを用いて判定し、第２領域９９における噛み込みの有無について、図５（Ａ）に示される補正透過画像５０Ａの第２領域９９に相当する部分９９Ａを用いて判定してもよい。この場合、判定部は、第１領域９８における噛み込みの有無と、第２領域９９における噛み込みの有無と、を互いに異なる判断基準で判定してもよい。すなわち、判定部は、第２領域９９における噛み込み不良の有無を判定する場合には、第１領域９８よりも暗い色を基準値（閾値）として噛み込み不良の有無を判定してもよい。
＜その他の変形例＞
【００５９】
上記実施形態では、物品Ｇに近赤外線を照射し、当該物品Ｇを透過した近赤外線に基づいて透過画像５０を生成する例を挙げて説明したが、本発明はこれに限定されない。例えば、本発明は、物品ＧにＸ線を照射し、当該物品Ｇを透過したＸ線に基づいて透過画像を生成する画像生成部を備えるＸ線検査装置（検査装置）に適用することも可能である。この場合、アルミ材料などの包材を蒸着して包装された物品を検査することも可能となる。
【００６０】
上記実施形態では、判定部３７が、透過画像５０に基づいて、包材９０の横シール部９１Ａ，９１Ｂにおける噛み込み有無を判定する以外に、透過画像５０に基づいて、内容物９３以外の異物９５の混入の有無、内容物９３の割れの有無を判定する例を挙げて説明したが、本発明はこれに限定されない。本発明は、例えば、近赤外線又はＸ線の透過画像に基づいて包材９０の横シール部９１Ａ，９１Ｂにおける噛み込みの有無のみを判定する噛み込み判定装置として構成してもよい。
【００６１】
上記実施形態では、横シール部９１Ａ，９１Ｂにおける内容物９３の噛み込みの有無を判定する例を挙げて説明したが、本発明はこれに限定されず、他のシール不良の有無を判定してもよい。
【００６２】
以上説明した種々の実施形態及び変形例は、本発明の趣旨を逸脱しない範囲で種々、組み合わせられてもよい。
【符号の説明】
【００６３】
１…近赤外線検査装置（検査装置）、２…光照射部、３…光検出部、４…制御コンピュータ（画像生成部、領域特定部、補正画像生成部、判定部）、１１，１２…搬送コンベア、３１…画像生成部、３３…領域特定部、３５…補正画像生成部、３７…判定部、５０…透過画像、５０Ａ…補正透過画像、９０…包材、９１Ａ，９１Ｂ…横シール部（シール部）、９３…内容物、９５…異物、９７…縦シール部、９８…第１領域、９９…第２領域、Ｇ…物品。
【図１】
2015232461.tif 000003
【図２】
2015232461.tif 000004
【図３】
2015232461.tif 000005
【図４】
2015232461.tif 000006
【図７】
2015232461.tif 000007
【図８】
2015232461.tif 000008
【図５】
2015232461.tif 000009
【図６】
2015232461.tif 000010
【図９】
2015232461.tif 000011
【図１０】
2015232461.tif 000012